(57)【要約】【課題】下屋の屋根当たりの建物ユニットの出隅部に屋根を備えたユニット建物において、施工現場での施工性の向上と、併せて防水性能の向上が期待できる建物ユニットを提供すること。【解決手段】下屋の屋根当たりの建物ユニットＵの出隅部１に出隅部１より端部が突出した屋根部８を組み立てるための建物ユニットである。この出隅部１には出隅部近傍の防水性を確保するための屋根形状に合わせたシート役物１０が固定されている。このシート役物１０は、屋根部８の上面（野地板面）８ａに固定される上面部１２と、屋根部８の出隅部より突出した突出部Ｙａの端面８ｂに固定される端面部１３とより構成されている。【選択図】図４
2007303108.tif 000002
【特許請求の範囲】
【請求項１】
下屋の屋根当たりの建物ユニットの出隅部に、該出隅部より端部が突出した屋根部を組み立てるための建物ユニットであって、
前記出隅部には、該出隅部近傍の防水性を確保するための屋根形状に合わせたシート役物が固定され、
該シート役物は、前記屋根部の上面に固定される上面部と、前記屋根部の前記出隅部より突出した突出部の端面に固定される端面部とを含んで構成されていることを特徴とする建物ユニット。
【請求項２】
前記上面部又は端面部の少なくとも一方には、前記屋根部の上面又は前記屋根部の前記出隅部より突出した突出部の端面に貼付するための粘着材が付与され、該粘着材面は工場出荷時には離型紙により保護されていることを特徴とする請求項１記載の建物ユニット。
【発明の詳細な説明】
【技術分野】
【０００１】
本発明は、建物ユニットの出隅部より端部が突出した屋根部を有する建物ユニットに関する。
【背景技術】
【０００２】
ユニット建物は、運搬可能な一定の大きさの箱形の建物ユニットを予め工場で製造し、この建物ユニットの複数個を施工現場に運搬し、施工現場で組み立てて建物となすものである。このようなユニット建物によれば、現場施工期間が短く、且つ、寸法精度の良い標準化された建物となる特徴があることから、近年、広く採用されている。
【０００３】
ここで、このようなユニット建物にあっては、建物ユニット間の接合部位の仕上げは施工現場で行われる必要がある。
【０００４】
従来、下屋の屋根当たりの出隅部では、現場施工において防水シート又は防水紙を付与後に防水シート又は防水紙の接合部をシーリング材によりシーリング施工することが行われていた（例えば、特許文献１参照。）。
【特許文献１】特開２０００−２７３４９１号公報
【発明の開示】
【発明が解決しようとする課題】
【０００５】
しかしながら、施工現場におけるシーリング材の施工は、施工工数がかかるという課題があった。また、施工現場におけるシーリング材の施工では、施工者により防水性能が左右されるという課題もあり、従って施工者の教育も必要であった。このため、有識者以外でも簡単に施工できる建物ユニットが望まれる。
【０００６】
そこで、本発明は、下屋の屋根当たりの建物ユニットの出隅部に屋根を備えたユニット建物において、施工現場での施工性の向上と、併せて防水性能の向上が期待できる建物ユニットを提供することを課題とする。
【課題を解決するための手段】
【０００７】
本発明は、下屋の屋根当たりの建物ユニットの出隅部に該出隅部より端部が突出した屋根部を組み立てるための建物ユニットである。この出隅部には出隅部近傍の防水性を確保するための屋根形状に合わせたシート役物が固定されている。このシート役物は、屋根部の上面に固定される上面部と、屋根部の出隅部より突出した突出部の端面に固定される端面部とにより構成されている。
【０００８】
これらの上面部又は端面部の少なくとも一方には、屋根部の上面又は出隅部より突出した突出部の端面に貼付するための粘着材が付与され、該粘着材面は工場出荷時には離型紙により保護されていることが好ましい。
【０００９】
以上の建物ユニットは、施工現場に搬送され、施工現場において屋根部に接合されて組み立てられる。施工現場では、組み立てられた建物ユニットに対して粘着材が付与されている場合には端面部の離型紙を取り外す工程、シート役物の端面部を屋根部の端面に貼付して屋根部を下屋の屋根当たりに固定する工程、離型紙を引き剥がして屋根上面に上面部を貼付する工程、屋根部に防水シートを付与する工程、を順次行うことによりユニット建物として組み立てられる。粘着材が付与されていない場合には、タッカなどの固定部材により固定してもよい。
【発明の効果】
【００１０】
本発明によれば、防水シートの接合部位に屋根形状に合わせたシート役物が予め取り付けられているので施工現場で防水シートを付与するに際してシーリング加工が不要である。これにより、施工者によって防水性能にばらつきが発生する可能性のある施工現場でのシーリング工程が省略できるので、施工現場での施工性の向上と、併せて防水性能の向上が期待できる建物ユニットを提供することができる。
【発明を実施するための最良の形態】
【００１１】
以下、本発明を実施するための最良の形態について実施例を示す図面に基づいて説明する。
【実施例１】
【００１２】
図１は、本発明の実施例１に係る下屋軒先に隣接される建物ユニット（二階建物ユニットＵ２）の一例を示す図であり、図２はその建物ユニットの施工部位を説明する図である。
【００１３】
この図２において、符号Ｕ，Ｕ１，Ｕ２で示す複数の建物ユニットが接合されてユニット建物Ｔが組み立てられている。ここで、この実施例１に係る建物ユニットＴでは、下屋ユニットＵ１が隣接して接合され、この下屋ユニットＵ１の上には屋根ユニットＹが二階建物ユニットＵ２に当接して組み立て施工されている。屋根ユニットＹの幅方向の一端（桁側）の端部（図１中、丸印で示した位置）は、建物ユニットＵの桁側の外壁よりも突出して突出部Ｙａを形成している。
【００１４】
図１に示す二階建物ユニットＵ２は、工場にて予め組み立てられて出荷可能な上階用の居室ユニットである。
【００１５】
妻壁と桁壁との稜線である出隅部１付近には防水性シート２が固定され、桁壁側には二階建物ユニットＵ２の下端まで不図示の壁枠材を介して桁外壁３が固定されている。また、この二階建物ユニットＵ２の桁壁側の下端には壁下シート４が固定され、この壁下シート４の舌片４ａは、桁外壁３の下端３ａからはみ出して垂下されている。
【００１６】
一方、妻壁側には下方に屋根ユニットＹを接合するための接合部５を余して上方側に丈の短い妻外壁６が固定されている。この妻外壁６の下端６ａ付近には壁下シート７が固定され、この壁下シート７の舌片７ａは妻外壁下端６ａよりはみ出して垂下されている。
【００１７】
接合部５の出隅部１付近であって、後述する屋根部８が当接する部分には、本発明に係るシート役物１０が防水性シート２と水密を保って固定されている。
【００１８】
このシート役物１０は、図１及び図３に示すように、防水シート２から妻方向に向けて張り出されて野地板面（屋根上面）８ａに貼付される野地板面部（上面部）１２と、この野地板面部１２から桁外壁３側にはみ出した部分で下方に垂下されて屋根部８の軒元側端面８ｂを覆う端面部１３とより概略構成されている。
【００１９】
このシート役物１０は、防水シート２と同様に防水性の素材から形成され、野地板面８ａ及び軒元側端面８ｂに接する面には、予め粘着材が付与された粘着材面１４とされ、その粘着材面１４には離型紙１５が貼付されている。
【００２０】
以上の構成のシート役物１０が固定された二階建物ユニットＵ２は、工場で予め組み立てられ、施工現場で他の下階建物ユニットＵ１やその他の建物ユニットＵと接合されてユニット建物とされる。
【００２１】
次に、このような二階建物ユニットＵ２への屋根部８の組み立て施工法について図３〜図５を参照しつつ説明する。
【００２２】
まず、図３は、不図示の下屋ユニットＵ１の上部に屋根部８を組み立てる状況を説明する図である。下階建物ユニットＵ１の上に本発明に係る二階建物ユニットＵ２が施工現場にて積み重ねられている。この二階建物ユニットＵ２の妻側の所定位置に屋根部８が接合されて不図示の固定手段により固定される。
【００２３】
野地板面部１２は、図３に示すように、シート役物１０の離型紙１５を引きはがし、野地板面８ａに貼付する。また、端面部１３は、同様にして、屋根部８の桁外壁３よりも突き出た軒元側端面８ｂに貼付して固定する。その後、軒元シート１５を折り返して軒元に固定し、防水紙９を軒先側から軒元側へ向けて展開しつつ野地板面８ａに固定する。
【００２４】
軒元まで展開した防水紙９は、図４に示すように、桁外壁３よりも突出した部分は軒元側端面８ｂを覆うように折り返して固定する。その他の部分は、適宜のスペーサ２２を介して妻外壁６へ向けて向けて立ち上げ固定する。固定は、例えば、タッカ２３のような適宜の固定手段を用いればよい。
【００２５】
出隅部１と屋根部８との接合部付近は、予め出隅部１に貼付された防水シート１と本発明に係るシート役物１０とにより水密が保たれているので、出隅部１と屋根部８との接合部付近での防水紙１５との重なり部分へのシール材の付与が不要となる。これにより、施工者によって防水性能にばらつきが発生する可能性のある施工現場でのシーリング工程が省略できるので、施工現場での施工性の向上と、併せて防水性能の向上が期待できる建物ユニットを提供することができる。
【実施例２】
【００２６】
つぎに、本発明の実施例２に係る下屋ケラバへ隣接する実施例について図面に基づいて説明する。
【００２７】
図７は、本発明の実施例２に係る下屋ケラバに隣接される建物ユニットＵの一例を示す図であり、図６はその建物ユニットの施工部位を説明する図である。
【００２８】
この図６において、符号Ｕで示す複数の建物ユニットが接合されてユニット建物Ｔが組み立てられている。ここで、この実施例２に係るユニット建物Ｔでは、建物ユニットＵの桁側に隣接してケラバを構成する屋根ユニットＹが組み立て施工されている。屋根ユニットＹの幅方向の一端（桁側）の端部（図２中、丸印で示した位置）は、建物ユニットＵの妻側の外壁よりも突出して突出部Ｙａを形成している。
【００２９】
図７に示す建物ユニットＵは、工場にて予め組み立てられて出荷可能な上階用の居室ユニットである。
【００３０】
妻壁と桁壁との稜線である出隅部１付近には防水性シート２が固定され、妻壁側には下端まで不図示の壁枠材を介して妻外壁６が固定されている。一方、桁壁側には下方に屋根ユニットＹを接合するための接合部５を余して上方側に丈の短い桁外壁４が固定されている。この桁外壁４の下端４ａ付近には壁下シート４が固定され、この壁下シート４の舌片４ａは桁外壁下端３ａよりはみ出して垂下されている。
【００３１】
接合部５の出隅部１付近であって、後述する屋根部８が当接する部分には、本発明に係るシート役物１０が固定されている。
【００３２】
このシート役物１０は、図７〜図９に示すように、防水シート２から桁方向に向けて張り出されて野地板面８ａに貼付される野地板面部１２と、この野地板面部１２から妻外壁６側にはみ出した部分で下方に垂下されて屋根部８の軒元側端面８ｂを覆う端面部１３とにより概略構成されている。
【００３３】
このシート役物１０は、実施例１と同様に防水性の素材から形成されているが、野地板面８ａに接する面のみには、予め粘着材が付与された粘着材面１４とされ、その粘着材面１４には離型紙１５が貼付されているが、端面部１３には粘着材が付与されていない。
【００３４】
以上の構成のシート役物１０が固定された建物ユニットＵは、工場で予め組み立てられ、施工現場で他の建物ユニットＵと接合されてユニット建物とされる。
【００３５】
次に、このような建物ユニットＵへの屋根部８の組み立て施工法について説明する。
【００３６】
まず、図８は、不図示の下屋ユニットＵ１の上部に屋根部８を組み立てる状況を説明する図である。
【００３７】
建物ユニットＵの桁側の所定位置に屋根部８が接合されて不図示の固定手段により固定される。野地板面部１２は、図８に示すように、シート役物１０の離型紙１５を引きはがし、野地板面８ａに貼付する。また、端面部１３は、図９に示すように、屋根部８の妻外壁６よりも突き出た軒元側端面８ｂにタッカ２３により固定する。
【００３８】
その後、不図示の防水紙９を軒先側から軒元側へ向けて展開しつつ野地板面８ａに固定し、軒元まで展開した防水紙９は、妻外壁６よりも突出した部分は軒元側端面８ｂを覆うように折り返して固定する。その他の部分は、桁外壁３へ向けて向けて立ち上げ固定する。
【００３９】
出隅部１と屋根部８との接合部付近は、予め出隅部１に貼付された防水シート１と本発明に係るシート役物１０とにより水密が保たれているので、出隅部１と屋根部８との接合部付近での防水紙１５との重なり部分へのシール材の付与が不要となる。これにより、施工者によって防水性能にばらつきが発生する可能性のある施工現場でのシーリング工程が省略できるので、施工現場での施工性の向上と、併せて防水性能の向上が期待できる建物ユニットを提供することができる。
【００４０】
一般に、以上説明したような出隅部より突出した軒又は屋根を備えるようなユニット建物において、外壁より平面方向に突出する軒先などを構成する屋根部を設ける場合、輸送上の制約から屋根ユニット及び居室ユニット（建物ユニット）をそれぞれ工場で製造し、こられの建物ユニット及び屋根ユニットを施工現場で組み立てることが望まれ、また、しばしば施工現場で取り付けられている。このような場合、出隅部近傍の取り付け部位の防水性能が施工者により左右されるという課題があり、また、現場施工の施工工数が増大するという課題があったが、本発明のように出隅部にシート役物が予め固定された建物ユニットを採用することにより、これらの課題が一挙に解決できた。
【００４１】
以上、図面を参照して、本発明の実施の形態を詳述してきたが、具体的な構成は、この実施の形態に限らず、本発明の要旨を逸脱しない程度の設計的変更は、本発明に含まれる。
【図面の簡単な説明】
【００４２】
【図１】本発明に係る建物ユニットの要部を説明する斜視図である。
【図２】本発明に係る建物ユニットの施工部位を説明する平面図である。
【図３】本発明に係る建物ユニットの施工手順を説明する図である。
【図４】本発明に係る建物ユニットの施工手順を説明する図である。
【図５】図４のＡ−Ａ線で切断したときの断面図である。
【図６】本発明に係る建物ユニットの施工部位を説明する平面図である。
【図７】本発明に係る建物ユニットの要部を説明する斜視図である。
【図８】本発明に係る建物ユニットの施工手順を説明する図である。
【図９】本発明に係る建物ユニットの施工手順を説明する図である。
【符号の説明】
【００４３】
Ｔ：ユニット建物
Ｕ：建物ユニット（居室ユニット）
Ｕ１：下屋ユニット
Ｕ２：二階建物ユニット
Ｙ：屋根ユニット
Ｙａ：突出部
１：出隅部
２：防水シート
３：桁外壁
３ａ：下端
４：壁下シート
４ａ：舌片
５：接合部
６：妻外壁
６ａ：下端
７ ：壁下シート
７ａ：下端
８：屋根部
８ａ：野地板面（上面）
８ｂ：軒元側端面（端面）
９：防水紙
１０：シート役物
１１：シート役物の一端
１２：野地板面部（上面部）
１３：端面部
１４：粘着材面
１５：離型紙
１６：軒元シート
２１：壁枠材
２２：スペーサ
２３：固定部材（タッカ）
【図１】
2007303108.tif 000003
【図２】
2007303108.tif 000004
【図３】
2007303108.tif 000005
【図４】
2007303108.tif 000006
【図５】
2007303108.tif 000007
【図６】
2007303108.tif 000008
【図７】
2007303108.tif 000009
【図８】
2007303108.tif 000010
【図９】
2007303108.tif 000011